(57)【要約】【課題】感光体を安定に回転させることができながら、感光体の回転軸線が延びる方向における感光体の位置精度を確保することができる感光体カートリッジを提供すること。【解決手段】  １対の側壁３４を有するドラムフレーム３１と、ドラムフレーム３１に回転可能に支持され、感光ドラム２のドラム本体５１を左壁３４Ｌに向かって押圧する圧縮ばね５４を有する感光ドラム２とを備えるドラムカートリッジ１において、左壁３４Ｌと感光ドラム２の左方のフランジ部材５２との間に、左壁３４Ｌに固定されるように、シート状のシート４０を配置する。【選択図】図４
2015138146.tif 000002
【特許請求の範囲】
【請求項１】
第１側壁と、第２側壁とを有する筐体と、
本体と、前記第１側壁と前記本体との間に配置され前記本体を前記第２側壁に向かって押圧する押圧部材と、前記第２側壁と前記本体との間に配置され前記本体の端部に固定されるギアとを有し、前記第１側壁と前記第２側壁との間に配置され前記第１側壁と前記第２側壁とが対向する方向に延びる回転軸線について回転するように構成される感光体と、
前記第２側壁と前記ギアとの間に配置されるシート部材と
を備えることを特徴とする、感光体カートリッジ。
【請求項２】
前記シート部材の少なくとも一部は、前記ギアを前記回転軸線が延びる方向に投影した投影面よりも外方に位置していることを特徴とする、請求項１に記載の感光体カートリッジ。
【請求項３】
前記シート部材は、前記第２側壁に係合し、前記感光体の回転方向における前記シート部材の移動を規制する係合部を有することを特徴とする、請求項１または２に記載の感光体カートリッジ。
【請求項４】
前記シート部材は、前記第２側壁に接着剤で接着されていることを特徴とする、請求項１〜３のいずれか一項に記載の感光体カートリッジ。
【請求項５】
前記シート部材は、
前記ギアと接触する接触部と、
前記接触部から前記回転軸線が延びる方向と直交する第１直交方向に延びる延長部と
を有することを特徴とする、請求項４に記載の感光体カートリッジ。
【請求項６】
前記感光体は、前記回転軸線を中心とする回転軸を有し、
前記ギアは、前記回転軸線が延びる方向に延びる円筒状の円筒部であって、前記回転軸が挿入され、前記接触部と接触する円筒部を有し、
前記第２側壁は、前記第１直交方向に延び、前記円筒部を挟むように配置される１対の突部を有し、
前記延長部は、前記１対の突部の間に配置されていることを特徴とする、請求項５に記載の感光体カートリッジ。
【請求項７】
前記延長部は、
前記第１直交方向に延びる第１部分と、
前記回転軸線が延びる方向および前記第１直交方向の両方と直交する第２直交方向に延びる第２部分と
を有することを特徴とする、請求項５または６に記載の感光体カートリッジ。
【請求項８】
前記第２直交方向における前記第２部分の寸法は、前記１対の突部の間隔より長いことを特徴とする、請求項７に記載の感光体カートリッジ。
【請求項９】
前記第２直交方向における前記第１部分の寸法は、前記１対の突部の間隔の７割以上であることを特徴とする、請求項７または８に記載の感光体カートリッジ。
【請求項１０】
前記延長部の面積は、前記接触部の面積の３倍以上であることを特徴とする、請求項５〜９のいずれか一項に記載の感光体カートリッジ。
【請求項１１】
前記シート部材は、ポリエチレンテレフタレートからなるフィルムであることを特徴とする、請求項１〜１０のいずれか一項に記載の感光体カートリッジ。
【請求項１２】
前記回転軸線が延びる方向における前記シート部材の寸法は、０．０１〜１．５ｍｍであることを特徴とする、請求項１〜１１のいずれか一項に記載の感光体カートリッジ。
【請求項１３】
前記シート部材の荷重撓み温度は、前記第２側壁の荷重撓み温度よりも大きいことを特徴とする、請求項１〜１２のいずれか一項に記載の感光体カートリッジ。
【発明の詳細な説明】
【技術分野】
【０００１】
本発明は、電子写真方式が採用される画像形成装置に装着される感光体カートリッジに関する。
【背景技術】
【０００２】
従来、画像形成装置に装着される感光体カートリッジとして、ハウジングと、ハウジングの側片に固定された支軸に回転自在に装着された感光体ドラムとを備える感光体ユニットが知られている（例えば、下記特許文献１参照）。
【先行技術文献】
【特許文献】
【０００３】
【特許文献１】特開平１０−１４３０４８号公報
【発明の概要】
【発明が解決しようとする課題】
【０００４】
しかるに、特許文献１に記載の感光体ユニットにおいて、感光体ドラムを軸方向に位置固定しながら、感光体ドラムの回転の安定化を図るために、感光体ドラムの一方のフランジの端面をハウジングの一方の内側面に当接させるとともに、感光体ドラムの他方のフランジの端面とハウジングの他方の内側面との間にブレーキ材を設置する場合がある。
【０００５】
この場合、感光体ユニットが駆動すると、感光体ドラムの一方のフランジの端面は、ハウジングの一方の内側面に押し付けられた状態で、ハウジングの一方の内側面に摺擦する。
【０００６】
そのため、ハウジングの一方の内側面が感光体ドラムの一方のフランジとの摺擦によって摩耗し、感光体ドラムの軸方向における位置精度が低下するおそれがある。
【０００７】
そこで、本発明の目的は、感光体を安定に回転させることができながら、感光体の回転軸線が延びる方向における感光体の位置精度を確保することができる感光体カートリッジを提供することにある。
【課題を解決するための手段】
【０００８】
（１）上記した目的を達成するため、本発明の感光体カートリッジは、筐体と、感光体と、シート部材とを備えている。筐体は、第１側壁と、第２側壁とを有する。感光体は、本体と、第１側壁と本体との間に配置され本体を第２側壁に向かって押圧する押圧部材と、第２側壁と本体との間に配置され本体の端部に固定されるギアとを有し、第１側壁と第２側壁との間に配置され第１側壁と第２側壁とが対向する方向に延びる回転軸線について回転するように構成される。
【０００９】
シート部材は、第２側壁とギアとの間に配置されている。
【００１０】
このような構成によれば、第２側壁とギアとの間にシート部材が配置されているので、ギアが第２側壁と摺擦することを防止できる。
【００１１】
そのため、感光体が回転するときに、ギアとの摺擦で第２側壁が摩耗することを防止できる。
【００１２】
その結果、感光体を安定に回転させることができながら、感光体の回転軸線が延びる方向における感光体の位置精度を確保することができる。
（２）シート部材の少なくとも一部は、ギアを感光体の回転軸線が延びる方向に投影した投影面よりも外方に位置していてもよい。
【００１３】
このような構成によれば、シート部材がギアと第２側壁との間に配置されていることを、容易に視認することができる。
（３）シート部材は、第２側壁に係合し、感光体の回転方向におけるシート部材の移動を規制する係合部を有してもよい。
【００１４】
このような構成によれば、シート部材が感光体の回転に追従して回転することを防止することができる。
【００１５】
その結果、第２側壁の摩耗を確実に防止できる。
（４）シート部材は、第２側壁に接着剤で接着されていてもよい。
【００１６】
このような構成によれば、簡易な構成で、シート部材が感光体の回転に追従して回転することを防止することができる。
（５）シート部材は、ギアと接触する接触部と、接触部から感光体の回転軸線が延びる方向と直交する第１直交方向に延びる延長部とを有していてもよい。
【００１７】
このような構成によれば、シート部材が接触部のみを備える場合と比べて、延長部の分、シート部材の接着面積を確保することができる。
【００１８】
その結果、シート部材が感光体の回転に追従して回転することを、より確実に防止することができる。
（６）感光体は、感光体の回転軸線を中心とする回転軸を有していてもよい。ギアは、感光体の回転軸線が延びる方向に延びる円筒状の円筒部であって、回転軸が挿入され、接触部と接触する円筒部を有していてもよい。第２側壁は、第１直交方向に延び、円筒部を挟むように配置される１対の突部を有していてもよい。延長部は、１対の突部の間に配置されていてもよい。
【００１９】
このような構成によれば、ギアの円筒部を１対の突部によって案内しながら感光体を筐体に組み付けることができる。
【００２０】
また、１対の突部の間に延長部を配置することにより、１対の突部の間のスペースを利用して、シート部材の接着面積を確保することができる。
（７）延長部は、第１直交方向に延びる第１部分と、感光体の回転軸線が延びる方向および第１直交方向の両方と直交する第２直交方向に延びる第２部分とを有してもよい。
【００２１】
このような構成によれば、延長部は、第１直交方向および第２直交方向に延びている。
【００２２】
その結果、第１直交方向および第２直交方向において、シート部材の接着面積を確保することができる。
（８）第２直交方向における第２部分の寸法は、１対の突部の間隔より長くてもよい。
【００２３】
このような構成によれば、第２部分における接着面積を確保することができる。
（９）第２直交方向における第１部分の寸法は、１対の突部の間隔の７割以上であってもよい。
【００２４】
このような構成によれば、第１部分における接着面積を確保することができる。
（１０）延長部の面積は、接触部の面積の３倍以上であってもよい。
【００２５】
このような構成によれば、延長部の接着面積を確保することができる。
（１１）シート部材は、ポリエチレンテレフタレートからなるフィルムであってもよい。
【００２６】
このような構成によれば、第２側壁の摩耗をより確実に防止できる。
（１２）感光体の回転軸線が延びる方向におけるシート部材の寸法は、０．０１〜１．５ｍｍであってもよい。
【００２７】
このような構成によれば、第２側壁の摩耗をより一層確実に防止できる。
（１３）シート部材の荷重撓み温度は、第２側壁の荷重撓み温度よりも大きくてもよい。
【００２８】
このような構成によれば、第２側壁の摩耗をより一層確実に防止できる。
【発明の効果】
【００２９】
本発明の感光体カートリッジによれば、感光体を安定に回転させることができながら、感光体の回転軸線が延びる方向における感光体の位置精度を確保することができる。
【図面の簡単な説明】
【００３０】
【図１】図１は、本発明の感光体カートリッジの一実施形態としてのドラムカートリッジが装着される画像形成装置の中央断面図である。
【図２】図２は、図１に示すドラムカートリッジの左後方から見た斜視図である。
【図３】図３は、図２に示すドラムカートリッジの左前方から見た分解斜視図である。
【図４】図４は、図２に示すドラムカートリッジの右前方から見た分解斜視図である。
【図５】図５は、図４に示す左壁の要部拡大図である。
【図６】図６は、図２のＡ−Ａ断面図である。
【図７】図７は、図５のＢ−Ｂ断面図である。
【図８】図８は、シートの変形例を説明する説明図である。
【発明を実施するための形態】
【００３１】
１．ドラムカートリッジの概略
図１に示すように、感光体カートリッジの一例としてのドラムカートリッジ１は、感光体の一例としての感光ドラム２と、スコロトロン型帯電器３と、転写ローラ４とを備えている。
【００３２】
なお、以下の説明において、ドラムカートリッジ１の方向に言及するときには、ドラムカートリッジ１を水平に載置した状態を基準とする。具体的には、各図の方向矢印を基準とする。左右方向は、感光体の回転軸線が延びる方向の一例である。上下方向は、第１直交方向の一例である。前後方向は、第２直交方向の一例である。
【００３３】
感光ドラム２は、左右方向に延びる略円筒形状を有している。感光ドラム２は、ドラムカートリッジ１の後端部に回転可能に支持されている。すなわち、感光ドラム２は、左右方向に延びる回転軸線Ａを中心として回転可能である。
【００３４】
スコロトロン型帯電器３は、感光ドラム２の後上方において、感光ドラム２と間隔を隔てて配置されている。
【００３５】
転写ローラ４は、感光ドラム２の下方に配置されている。転写ローラ４は、感光ドラム２の下端部と接触している。
２．ドラムカートリッジの使用態様
ドラムカートリッジ１は、画像形成装置１１に装着されて使用される。
【００３６】
画像形成装置１１は、電子写真方式のモノクロプリンタである。画像形成装置１１は、装置本体１２と、プロセスカートリッジ１３と、スキャナユニット１４と、定着ユニット１５とを備えている。
【００３７】
装置本体１２は、略ボックス形状を有している。装置本体１２は、開口部１６と、フロントカバー１７と、給紙トレイ１８と、排紙トレイ１９とを有している。
【００３８】
開口部１６は、装置本体１２の前端部に配置されている。開口部１６は、プロセスカートリッジ１３の通過を許容するように、装置本体１２の内外を前後方向に連通している。
【００３９】
フロントカバー１７は、装置本体１２の前端部に配置されている。フロントカバー１７は、略平板形状を有している。フロントカバー１７は、上下方向に延び、その下端部を支点として装置本体１２の前壁に揺動可能に支持されている。フロントカバー１７は、開口部１６を開放または閉鎖するように構成されている。
【００４０】
給紙トレイ１８は、装置本体１２の底部に配置されている。給紙トレイ１８は、記録媒体の一例としての用紙Ｐを収容するように構成されている。
【００４１】
排紙トレイ１９は、装置本体１２の上壁の後半分に配置されている。排紙トレイ１９は、用紙Ｐが載置されるように、装置本体１２の上面から下方へ凹んでいる。
【００４２】
プロセスカートリッジ１３は、装置本体１２の上下方向略中央に収容されている。プロセスカートリッジ１３は、装置本体１２に対して装着または離脱するように構成されている。プロセスカートリッジ１３は、上記したドラムカートリッジ１と、現像カートリッジ２０とを備えている。
【００４３】
現像カートリッジ２０は、感光ドラム２の前方において、ドラムカートリッジ１に装着されている。現像カートリッジ２０は、現像ローラ２１と、供給ローラ２２と、層厚規制ブレード２３と、トナー収容部２４とを備えている。
【００４４】
現像ローラ２１は、現像カートリッジ２０の後端部に回転可能に支持されている。現像ローラ２１は、左右方向に延びる略円柱形状を有している。現像ローラ２１は、感光ドラム２の前端部に接触している。
【００４５】
供給ローラ２２は、現像ローラ２１の前下方に配置されている。供給ローラ２２は、左右方向に延びる略円柱形状を有し、現像カートリッジ２０に回転可能に支持されている。供給ローラ２２は、現像ローラ２１の前下端部に接触している。
【００４６】
層厚規制ブレード２３は、現像ローラ２１の前上方に配置されている。層厚規制ブレード２３は、現像ローラ２１の前端部に接触している。
【００４７】
トナー収容部２４は、供給ローラ２２および層厚規制ブレード２３の前方に配置されている。トナー収容部２４は、トナーを収容するように構成されている。トナー収容部２４は、アジテータ２５を備えている。
【００４８】
アジテータ２５は、トナー収容部２４内に回転可能に支持されている。
【００４９】
スキャナユニット１４は、プロセスカートリッジ１３の上方に配置されている。スキャナユニット１４は、感光ドラム２に向けて画像データに基づくレーザービームを出射するように構成されている。
【００５０】
定着ユニット１５は、プロセスカートリッジ１３の後方に配置されている。定着ユニット１５は、加熱ローラ２６と、加熱ローラ２６の後下端部に圧接される加圧ローラ２７とを備えている。
【００５１】
画像形成装置１１が画像形成動作を開始すると、スコロトロン型帯電器３は、感光ドラム２の表面を一様に帯電する。スキャナユニット１４は、感光ドラム２の表面を露光する。これにより、画像データに基づく静電潜像が、感光ドラム２の表面に形成される。
【００５２】
また、アジテータ２５は、トナー収容部２４内のトナーを撹拌して、供給ローラ２２に供給する。供給ローラ２２は、アジテータ２５によって供給されたトナーを現像ローラ２１に供給する。このとき、トナーは、現像ローラ２１と供給ローラ２２との間で正極性に摩擦帯電され、現像ローラ２１に担持される。層厚規制ブレード２３は、現像ローラ２１に担持されたトナーの層厚を一定厚さに規制する。
【００５３】
そして、現像ローラ２１に担持されたトナーは、感光ドラム２表面の静電潜像に供給される。これにより、トナー像が、感光ドラム２の表面に担持される。
【００５４】
用紙Ｐは、給紙トレイ１８から、各種ローラの回転により、所定のタイミングで１枚ずつ、感光ドラム２と転写ローラ４との間に給紙される。感光ドラム２表面のトナー像は、用紙Ｐが感光ドラム２と転写ローラ４との間を通過するときに、用紙Ｐに転写される。
【００５５】
その後、用紙Ｐは、加熱ローラ２６と加圧ローラ２７との間を通過するときに加熱および加圧される。これにより、用紙Ｐ上のトナー像は、用紙Ｐに熱定着される。その後、用紙Ｐは、排紙トレイ１９に排紙される。
３．ドラムカートリッジの詳細
（１）ドラムカートリッジの構成
図２および図３に示すように、ドラムカートリッジ１は、上記した感光ドラム２、スコロトロン型帯電器３および転写ローラ４を支持する筐体の一例としてのドラムフレーム３１を備えている。
（１−１）ドラムフレーム
ドラムフレーム３１は、図３および図４に示すように、ベースフレーム３２と、カバーフレーム３３とを備えている。
【００５６】
ベースフレーム３２は、平面視略矩形の有底枠形状を有している。ベースフレーム３２は、例えば、ポリスチレンなどの硬質の樹脂材料からなる。ベースフレーム３２の荷重撓み温度は、例えば、７７℃以上であり、例えば、９６℃以下である。ベースフレーム３２は、１対の側壁３４と、下壁３５と、後壁３６と、前壁３７とを一体的に備えている。
【００５７】
１対の側壁３４のそれぞれは、ベースフレーム３２の左右方向両端部のそれぞれに互いに間隔を隔てて配置されている。なお、以下の説明において、側壁３４の左右に言及するときには、第２側壁の一例としての左方の側壁３４を左壁３４Ｌと記載し、第１側壁の一例としての右方の側壁３４を右壁３４Ｒと記載する。１対の側壁３４のそれぞれは、側面視略矩形の平板形状を有している。１対の側壁３４のそれぞれは、前後方向に延びている。１対の側壁３４のそれぞれは、ドラム軸挿通穴３８を有している。また、左壁３４Ｌは、１対の突部の一例としてのガイドリブ３９と、シート部材の一例としてのシート４０とを有している。また、右壁３４Ｒは、ドラム受け部４１と、摩擦パッド４２とを有している。
【００５８】
ドラム軸挿通穴３８は、側壁３４の後端部の上下方向略中央に配置されている。ドラム軸挿通穴３８は、側面視略円形状を有している。ドラム軸挿通穴３８は、側壁３４を左右方向に貫通している。ドラム軸挿通穴３８の内径は、感光ドラム２のドラム軸５５の外径よりもわずかに大きい。１対の側壁３４のそれぞれのドラム軸挿通穴３８は、左右方向に投影したときに互いに一致している。
【００５９】
１対のガイドリブ３９のそれぞれは、ドラム軸挿通穴３８の前方と、ドラム軸挿通穴３８の後方とに１つずつ配置されている。１対のガイドリブ３９のそれぞれは、左壁３４Ｌの右面から右方に突出し、上下方向に延びている。１対のガイドリブ３９のそれぞれの上端縁は、ドラム軸挿通穴３８よりも上方、かつ、左壁３４Ｌの上端縁よりも下方に位置している。１対のガイドリブ３９のそれぞれの前後方向間隔Ｌ１（図７参照）は、後述する左方のフランジ部材５２の筒部５８の外径よりも長く、具体的には、７．９ｍｍである。ガイドリブ３９の左右方向寸法Ｔ２（図６参照）は、例えば、０．１ｍｍ以上であり、例えば、２．０ｍｍ以下であり、具体的には、０．４ｍｍである。
【００６０】
シート４０は、図４および図５に示すように、左壁３４Ｌの前端部に配置されている。シート４０は、側面視略Ｔ字形の薄い平板形状、すなわちシート形状を有している。シート４０は、例えば、ポリエチレンテレフタレート、ポリカーボネート、ポリブチレンテレフタレートなどの樹脂材料や、ステンレスなどの金属材料など、ベースフレーム３２よりも高い荷重撓み温度を有する材料からなるフィルムが挙げられる。好ましくは、シート４０は、ポリエチレンテレフタレートからなる。なお、シート４０の荷重撓み温度は、シート４０がポリエチレンテレフタレートからなる場合には、例えば、２４０℃であり、シート４０がポリカーボネートからなる場合には、例えば、１５０℃であり、シート４０がポリブチレンテレフタレートからなる場合には、例えば、２２０℃であり、シート４０が金属材料からなる場合には、例えば、５００℃である。シート４０の左右方向寸法、すなわち厚みＴ１（図６参照）は、例えば、０．０１ｍｍ以上であり、例えば、１．５ｍｍ以下であり、具体的には、０．１ｍｍである。シート４０の厚みＴ１（図６参照）は、ガイドリブ３９の左右方向寸法Ｔ２（図６参照）よりも薄い。シート４０は、その左面４０Ａのすべてにおいて、接着剤によって左壁３４Ｌに接着されている。これにより、シート４０は、左壁３４Ｌに固定されている。シート４０の左面４０Ａは、係合部の一例である。シート４０は、第２部分の一例としての上方部分６１と、下方部分６２とを有している。
【００６１】
上方部分６１は、シート４０の上端部に配置されている。上方部分６１は、前後方向に延びる側面視略矩形状を有している。上方部分６１は、１対のガイドリブ３９の上方において、左壁３４Ｌに接着されている。上方部分６１の前上端部は、後述する左方のフランジ部材５２を左方に投影した投影面Ｓ（図５参照）よりも外方に突出している。上方部分６１の前後方向寸法Ｌ２は、１対のガイドリブ３９のそれぞれの前後方向間隔Ｌ１よりも長く、具体的には、１６．８ｍｍである。
【００６２】
下方部分６２は、上方部分６１の前後方向略中央から下方へ延びる側面視略矩形状を有している。下方部分６２は、１対のガイドリブ３９の間において、左壁３４Ｌに接着されている。下方部分６２の前後方向寸法Ｌ３は、１対のガイドリブ３９のそれぞれの前後方向間隔Ｌ１よりも短く、１対のガイドリブ３９のそれぞれの前後方向間隔Ｌ１の７割以上であって、具体的には、６．７ｍｍである。下方部分６２は、ドラム軸挿通穴６３を有している。
【００６３】
ドラム軸挿通穴６３は、下方部分６２の下端部に配置されている。ドラム軸挿通穴６３は、側面視略円形状を有している。ドラム軸挿通穴６３は、下方部分６２を左右方向に貫通している。ドラム軸挿通穴６３の内径は、左壁３４Ｌのドラム軸挿通穴３８の内径とほぼ同じである。ドラム軸挿通穴６３は、左右方向に投影したときに、左壁３４Ｌのドラム軸挿通穴３８とほぼ一致している。
【００６４】
ドラム受け部４１は、図３に示すように、ドラム軸挿通穴３８の下方に配置されている。ドラム受け部４１は、側面視略矩形状を有している。ドラム受け部４１は、右壁３４Ｒの内面から左右方向内方へわずかに膨出している。ドラム受け部４１は、凹部４３を有している。
【００６５】
凹部４３は、ドラム受け部４１の上端縁の前後方向略中央に配置されている。凹部４３は、下方へ凹んでいる。凹部４３は、感光ドラム２の後述する摩擦部材５３の外周に沿うように、ドラム軸挿通穴３８を中心とした略円弧形状を有している。
【００６６】
摩擦パッド４２は、ドラム受け部４１の上方に配置されている。摩擦パッド４２は、略円環形状を有している。摩擦パッド４２の外径は、感光ドラム２の後述する摩擦部材５３の外径よりも大きい。摩擦パッド４２の内径は、ドラム軸挿通穴３８の外径よりも大きい。摩擦パッド４２は、不織布からなる。摩擦パッド４２は、ドラム軸挿通穴３８を囲むように、右壁３４Ｒの内面に貼付されている。
【００６７】
下壁３５は、１対の側壁３４の下端部間に架設され、前後方向に延びている。下壁３５は、平面視略矩形の平板形状を有している。下壁３５は、転写ローラ支持部４４と、給紙開口４５と、排紙開口４６とを有している。
【００６８】
転写ローラ支持部４４は、下壁３５の後端部に配置されている。転写ローラ支持部４４は、下壁３５の上面から下方へ向かって凹み、左右方向に延びている。転写ローラ支持部４４は、その内部において転写ローラ４を回転可能に支持している。
【００６９】
給紙開口４５は、下壁３５の前後方向略中央において、転写ローラ支持部４４の前方に配置されている。給紙開口４５は、平面視略矩形状を有している。給紙開口４５は、下壁３５を上下方向に貫通し、左右方向に延びている。給紙開口４５は、感光ドラム２と転写ローラ４との間へ給紙される用紙Ｐの通過を許容する。
【００７０】
排紙開口４６は、下壁３５の後端部において、転写ローラ支持部４４の後方に配置されている。排紙開口４６は、平面視略矩形状を有している。排紙開口４６は、下壁３５を上下方向に貫通し、左右方向に延びている。排紙開口４６は、感光ドラム２と転写ローラ４との間から定着ユニット１５へ向かう用紙Ｐの通過を許容する。
【００７１】
後壁３６は、排紙開口４６の後方において、下壁３５の後端部から上方へ突出し、左右方向に延びている。後壁３６は、正面視略矩形の平板形状を有している。
【００７２】
前壁３７は、下壁３５の前端部から連続して上方へ延びている。前壁３７は、正面視略矩形の平板形状を有している。前壁３７の左右両端部は、１対の側壁３４の前端部に連続している。
【００７３】
カバーフレーム３３は、図２および図３に示すように、ベースフレーム３２の後端部の上方に配置されている。カバーフレーム３３は、上壁４７と、１対の側壁４８とを一体的に備えている。
【００７４】
上壁４７は、平面視略矩形の平板形状を有している。上壁４７は、左右方向に延びている。上壁４７は、スコロトロン型帯電器３を支持している。
【００７５】
１対の側壁４８のそれぞれは、上壁４７の左右方向両端部のそれぞれから下方へ延びている。１対の側壁４８のそれぞれは、略平板形状を有している。１対の側壁４８のそれぞれは、ドラム軸挿通穴４９を有している。
【００７６】
ドラム軸挿通穴４９は、側壁４８の下端部に配置されている。ドラム軸挿通穴４９は、側面視略円形状を有している。ドラム軸挿通穴４９は、側壁４８を左右方向に貫通している。ドラム軸挿通穴４９の内径は、感光ドラム２のドラム軸５５の外径よりもわずかに大きい。
【００７７】
なお、ドラムカートリッジ１において、感光ドラム２よりも前方において、感光ドラム２、１対の側壁３４および前壁３７によって画定される部分が、現像カートリッジ２０が装着される現像カートリッジ装着部５０である。
（２）感光ドラム
感光ドラム２は、図３および図６に示すように、本体の一例としてのドラム本体５１と、２つのフランジ部材５２と、摩擦部材５３と、押圧部材の一例としての圧縮ばね５４と、回転軸の一例としてのドラム軸５５とを備えている。
【００７８】
ドラム本体５１は、略円筒形状を有している。ドラム本体５１は、左右方向に延びている。ドラム本体５１は、１対の側壁３４の間に配置されている。
【００７９】
２つのフランジ部材５２のそれぞれは、ドラム本体５１の左右方向両端部のそれぞれに相対回転不能に固定されている。左方のフランジ部材５２は、左壁３４Ｌの右方に隣接配置されている。右方のフランジ部材５２は、右壁３４Ｒの左方に隣接配置されている。２つのフランジ部材５２のそれぞれは、略円筒形状を有している。２つのフランジ部材５２のそれぞれは、左右方向に延びている。２つのフランジ部材５２のそれぞれは、ドラム軸支持部５６を備えている。左方のフランジ部材５２は、ギアの一例としてのギア部６０を有している。
【００８０】
ドラム軸支持部５６は、フランジ部材５２の左右方向途中に配置されている。ドラム軸支持部５６は、平板部５７と、円筒部の一例としての筒部５８とを有している。
【００８１】
平板部５７は、フランジ部材５２の内面から径方向内方へ延びている。平板部５７は、略円板形状を有している。
【００８２】
筒部５８は、平板部５７の径方向中央に配置されている。筒部５８は、左右方向に延びる略円筒形状を有している。筒部５８は、平板部５７の径方向中央を左右方向に貫通している。筒部５８の内径は、感光ドラム２のドラム軸５５の外径よりもわずかに大きい。左方のフランジ部材５２の筒部５８の左端縁は、シート４０のうちのドラム軸挿通穴６３の周縁部４０Ｂの右面に接触している。
【００８３】
なお、図５に示すように、シート４０のうち、ドラム軸挿通穴６３の周縁部４０Ｂは、接触部の一例である。また、シート４０の下方部分６２のうち、周縁部４０Ｂよりも上方の部分４０Ｃは、第１部分の一例である。周縁部４０Ｂよりも上方の部分４０Ｃ、および、シート４０の上方部分６１は、延長部を構成する。下方部分６２のうちの周縁部４０Ｂよりも上方の部分４０Ｃ、および、上方部分６１の面積の総和は、周縁部４０Ｂの面積の３倍以上であり、具体的には、６．５倍である。
【００８４】
ギア部６０は、左方のフランジ部材５２の左右方向略中央に一体的に配置されている。ギア部６０は、その周面すべてにわたって、ギア歯を有している。
【００８５】
摩擦部材５３は、右方のフランジ部材５２の右端部内において、左右方向にスライドするように嵌まっている。摩擦部材５３は、略円筒形状を有している。摩擦部材５３の右端部は、閉鎖されている。摩擦部材５３の右壁５３Ａは、摩擦パッド４２の左面に接触している。摩擦部材５３の外径は、右方のフランジ部材５２の外径よりも小さく、さらに、右方のフランジ部材５２の内径よりもわずかに小さい。また、摩擦部材５３の外径は、ドラム本体５１の内径よりも小さい。摩擦部材５３は、ドラム軸挿通穴５９を有している。
【００８６】
ドラム軸挿通穴５９は、摩擦部材５３の径方向中央に配置されている。ドラム軸挿通穴５９は、摩擦部材５３の右壁５３Ａを左右方向に貫通している。ドラム軸挿通穴５９の内寸は、感光ドラム２のドラム軸５５の外径よりも大きい。
【００８７】
圧縮ばね５４は、右方のフランジ部材５２の平板部５７と、摩擦部材５３の右壁５３Ａとの間に圧縮状態で配置されている。圧縮ばね５４は、左右方向に延びるコイルばねである。圧縮ばね５４の左端部は、右方のフランジ部材５２の平板部５７に当接している。圧縮ばね５４の右端部５４Ａは、摩擦部材５３の右壁５３Ａに当接している。すなわち、圧縮ばね５４は、摩擦部材５３を右方へ押圧するとともに、右方のフランジ部材５２を介してドラム本体５１を左方へ押圧している。これにより、摩擦部材５３が摩擦パッド４２に押し付けられるとともに、左方のフランジ部材５２の筒部５８がシート４０の周縁部４０Ｂに押し付けられ、感光ドラム２のドラム本体５１が左右方向に位置固定されている。
【００８８】
ドラム軸５５は、感光ドラム２の径方向中心に沿って、回転軸線Ａを共有するように配置されている。ドラム軸５５は、略円柱形状を有している。ドラム軸５５は、左右方向に延びている。ドラム軸５５は、金属からなる。ドラム軸５５は、ベースフレーム３２のドラム軸挿通穴３８、カバーフレーム３３のドラム軸挿通穴４９、フランジ部材５２の筒部５８、補強シートのドラム軸挿通穴６３、および、摩擦部材５３のドラム軸挿通穴５９に回転可能に挿通されている。
３．感光ドラムの組み付け
ドラムカートリッジ１の組み立て作業では、図３に示すように、作業者は、ベースフレーム３２に転写ローラ４を組み付けた後に、ベースフレーム３２に感光ドラム２を組み付ける。
【００８９】
まず、作業者は、ドラム受け部４１の凹部４３に感光ドラム２の摩擦部材５３の右端部を載せる。
【００９０】
次いで、図４に示すように、作業者は、１対のガイドリブ３９の間に左方のフランジ部材５２の筒部５８を嵌めるように、転写ローラ４の上方に感光ドラム２を配置する。
【００９１】
すると、感光ドラム２の摩擦部材５３がベースフレーム３２の摩擦パッド４２に接触するとともに、左方のフランジ部材５２の筒部５８がシート４０に接触する。
【００９２】
次いで、カバーフレーム３３をベースフレーム３２の後端部に上方から組み付ける。この状態で、ベースフレーム３２のドラム軸挿通穴３８、カバーフレーム３３のドラム軸挿通穴４９、および、フランジ部材５２の筒部５８は、左右方向に見たときに、互いにほぼ一致する。
【００９３】
次いで、作業者は、ドラム軸５５を、ベースフレーム３２のドラム軸挿通穴３８、カバーフレーム３３のドラム軸挿通穴４９、フランジ部材５２の筒部５８、シート４０のドラム軸挿通穴６３、および、摩擦部材５３のドラム軸挿通穴５９に挿通する。
【００９４】
これにより、ベースフレーム３２に対する感光ドラム２の組み付け作業が完了する。
４．ドラムカートリッジの駆動
上記した画像形成動作が実施されると、装置本体１２内の図示しないギアを介して左方のフランジ部材５２のギア部６０に駆動力が入力される。
【００９５】
すると、図１に示すように、感光ドラム２は、左側面視時計回りに回転する。
【００９６】
このとき、左方のフランジ部材５２の筒部５８は、左壁３４Ｌのドラム軸挿通穴３８の周縁部に押し付けられながら、左側面視時計回りに回転する。
【００９７】
しかし、図６および図７に示すように、左壁３４Ｌのドラム軸挿通穴３８の周縁部と、左方のフランジ部材５２の筒部５８との間に、シート４０の周縁部４０Ｂが配置されている。
【００９８】
これにより、左壁３４Ｌのドラム軸挿通穴３８の周縁部は、左方のフランジ部材５２の筒部５８との摺擦により摩耗することが防止されている。
５．作用効果
（１）このドラムカートリッジ１によれば、図６および図７に示すように、左壁３４Ｌと左方のフランジ部材５２との間にシート４０が配置されているので、左方のフランジ部材５２が左壁３４Ｌと摺擦することを防止できる。
【００９９】
そのため、感光ドラム２が回転するときに、左方のフランジ部材５２との摺擦で左壁３４Ｌが摩耗することを防止できる。
【０１００】
その結果、感光ドラム２を安定に回転させることができながら、左右方向における感光ドラム２の位置精度を確保することができる。
（２）このドラムカートリッジ１によれば、図５に示すように、シート４０の後上端部は、左方のフランジ部材５２を左右方向に投影した投影面Ｓよりも外方に位置している。
【０１０１】
そのため、シート４０が左方のフランジ部材５２と左壁３４Ｌとの間に配置されていることを、容易に視認することができる。
（３）このドラムカートリッジ１によれば、シート４０は、左壁３４Ｌに接着剤で接着されることにより、左壁３４Ｌに固定されている。
【０１０２】
そのため、簡易な構成で、シート４０が感光ドラム２の回転に追従して回転することを防止することができる。
【０１０３】
その結果、左壁３４Ｌの摩耗を確実に防止できる。
（４）このドラムカートリッジ１によれば、図５に示すように、シート４０は、左方のフランジ部材５２と接触する周縁部４０Ｂと、周縁部４０Ｂから上方に延びる延長部（下方部分６２のうちの周縁部４０Ｂよりも上方の部分４０Ｃ、および、シート４０の上方部分６１）とを有している。
【０１０４】
そのため、シート４０が周縁部４０Ｂのみを備える場合と比べて、延長部の分、シート４０の接着面積を確保することができる。
【０１０５】
その結果、シート４０が感光ドラム２の回転に追従して回転することを、より確実に防止することができる。
（５）このドラムカートリッジ１によれば、図５および図７に示すように、左壁３４Ｌは、上下方向に延び、左方のフランジ部材５２の筒部５８を挟むように配置される１対のガイドリブ３９を有している。
【０１０６】
そのため、左方のフランジ部材５２の筒部５８を１対のガイドリブ３９によって案内しながら感光ドラム２をドラムフレーム３１に組み付けることができる。
【０１０７】
また、下方部分６２のうちの周縁部４０Ｂよりも上方の部分４０Ｃは、１対のガイドリブ３９の間に配置されている。
【０１０８】
そのため、１対のガイドリブ３９の間のスペースを利用して、シート４０の接着面積を確保することができる。
（６）このドラムカートリッジ１によれば、図５に示すように、延長部は、上下方向に延びる部分４０Ｃと、前後方向に延びる上方部分６１とを有している。
【０１０９】
その結果、上下方向および前後方向において、シート４０の接着面積を確保することができる。
（７）このドラムカートリッジ１によれば、図５に示すように、上方部分６１の前後方向寸法Ｌ２は、１対のガイドリブ３９の前後方向間隔Ｌ１より長い。
【０１１０】
そのため、上方部分６１における接着面積を確保することができる。
（８）このドラムカートリッジ１によれば、図５に示すように、下方部分６２の前後方向寸法Ｌ３は、１対のガイドリブ３９の前後方向間隔Ｌ１の７割以上である。
【０１１１】
そのため、下方部分６２における接着面積を確保することができる。
（９）このドラムカートリッジ１によれば、図５に示すように、下方部分６２のうちの周縁部４０Ｂよりも上方の部分４０Ｃ、および、上方部分６１の面積の総和は、周縁部４０Ｂの面積の３倍以上である。
【０１１２】
その結果、延長部の接着面積を確保することができる。
（１０）このドラムカートリッジ１によれば、シート４０は、ポリエチレンテレフタレートなど、ベースフレーム３２よりも高い荷重撓み温度を有する材料からなるフィルムである。
【０１１３】
そのため、左壁３４Ｌの摩耗をより確実に防止できる。
（１１）このドラムカートリッジ１によれば、図６に示すように、シート４０の厚みＴ１は、０．０１〜１．５ｍｍである。
【０１１４】
そのため、左壁３４Ｌの摩耗をより一層確実に防止できる。
（１２）このドラムカートリッジ１によれば、シート４０の荷重撓み温度は、左壁３４Ｌの荷重撓み温度よりも大きい。
【０１１５】
そのため、左壁３４Ｌの摩耗をより一層確実に防止できる。
６．変形例
（１）上記した実施形態では、シート４０は、接着剤で左壁３４Ｌに接着されることにより、感光ドラム２の回転に追従して回転することを防止されている。
【０１１６】
対して、この変形例では、図８に示すように、シート４０は、上方部分６１の前後両端部のそれぞれに、係合部の一例としての２つの貫通穴８１を有している。
【０１１７】
また、左壁３４Ｌは、１対のガイドリブ３９の上方において、前後方向に間隔を隔てて２つのボス８２を有している。
【０１１８】
そして、２つのボス８２のそれぞれは、２つの貫通穴８１のそれぞれの内方に嵌まっている。これにより、シート４０は、感光ドラム２の回転に追従して回転することを防止されている。
【０１１９】
この変形例においても、上記した実施形態と同様の作用効果を得ることができる。
（２）上記した実施形態では、シート４０は、左壁３４Ｌの右面に固定されているが、シート４０は、例えば、左方のフランジ部材５２の筒部５８の左面に固定されていてもよい。
（３）上記した実施形態では、シート４０は、上方部分６１と下方部分６２とを有する側面視略Ｔ字形状を有しているが、シート４０は、少なくとも、左方のフランジ部材５２の筒部５８と左壁３４Ｌとの間に配置されていればよく、例えば、左方のフランジ部材５２の筒部５８よりも大きい外径を有する側面視略円環形状を有してもよい。
【符号の説明】
【０１２０】
１      ドラムカートリッジ
２      感光ドラム
３１    ドラムフレーム
３９    ガイドリブ
４０    シート
４０Ａ  左面
４０Ｂ  周縁部
４０Ｃ  部分
５１    ドラム本体
５２    フランジ部材
５４    圧縮ばね
５５    ドラム軸
５８    筒部
６０    ギア部
６１    上方部分
８１    貫通穴
Ａ      回転軸線
Ｌ１    前後方向間隔
Ｌ２    前後方向寸法
Ｌ３    前後方向寸法
Ｓ      投影面
Ｔ１    厚み
【図１】
2015138146.tif 000003
【図２】
2015138146.tif 000004
【図３】
2015138146.tif 000005
【図４】
2015138146.tif 000006
【図５】
2015138146.tif 000007
【図６】
2015138146.tif 000008
【図７】
2015138146.tif 000009
【図８】
2015138146.tif 000010